(57)【要約】【課題】検査対象物の表面情報を取得し、これを予め登録された表面情報と照合する場合に、検査対象物の表面情報を取得する際の読取領域と光の照射方向を決定できる技術を提供する。【解決手段】検査対象物５５の所定位置に、第１マーク６０及び第２マーク６２を印刷形成する。第１マークは読取領域を示し、第２マーク６２は光の照射方向を示す。第１マーク６０と第２マーク６２により表面情報の登録時と照合時とで読取領域及び光の照射方向を一致させる。第１マーク６０及び第２マーク６２は、検査対象物５５の画像印刷時に併せて印刷形成される。【選択図】図６
2020043490.tif 000002
【特許請求の範囲】
【請求項１】
検査対象物の表面情報を取得するための読取領域を示す第１マーク、及び前記表面情報を取得するための光の照射方向を示す第２マークを前記検査対象物に印刷する印刷手段を備える画像形成装置。
【請求項２】
前記第１マークと前記第２マークの少なくともいずれかは、さらに前記表面情報を取得するための読取方向を示す
請求項１に記載の画像形成装置。
【請求項３】
前記第１マークは、前記読取領域を示す閉領域を備える
請求項１に記載の画像形成装置。
【請求項４】
前記閉領域の中心領域が前記読取領域を示す
請求項３に記載の画像形成装置。
【請求項５】
前記閉領域は、単色または混合色のベタ塗りで構成される
請求項３に記載の画像形成装置。
【請求項６】
前記第２マークは、前記第１マークの一部に形成される
請求項１に記載の画像形成装置。
【請求項７】
前記第２マークは、前記第１マークの一部から凸形成される
請求項６に記載の画像形成装置。
【請求項８】
前記第２マークは、前記第１マークの一部から凹形成される
請求項６に記載の画像形成装置。
【請求項９】
前記第２マークは、前記第１マークから離間して形成される
請求項１に記載の画像形成装置。
【請求項１０】
前記第２マークは、前記第１マークと形状、色、大きさの少なくともいずれかが異なる
請求項９に記載の画像形成装置。
【請求項１１】
前記第１マークに対する前記第２マークの相対的位置により前記光の照射方向を示す
請求項６，９のいずれかに記載の画像形成装置。
【請求項１２】
前記検査対象物は、複数種類の画像を含み、
前記表面情報は、前記複数種類の画像を識別する識別情報である
請求項１に記載の画像形成装置。
【請求項１３】
前記印刷手段は、前記複数種類の画像を印刷する際に、前記第１マーク及び前記第２マークを印刷する
請求項１２に記載の画像形成装置。
【請求項１４】
前記検査対象物は、１つの用紙に複数の画像が面付けされて構成され、
前記印刷手段は、前記複数の画像のそれぞれに前記第１マーク及び前記第２マークを印刷する
請求項１３に記載の画像形成装置。
【請求項１５】
前記第１マーク及び前記第２マークを用いて前記表面情報を取得する基準読取装置をさらに備え、
前記印刷手段は、前記基準読取装置と前記面付けされた複数の画像のそれぞれとの相対的位置関係で前記第２マークを印刷する
請求項１４に記載の画像形成装置。
【請求項１６】
前記表面情報は、前記第１マークが示す前記読取領域における表面凹凸の陰影画像である
請求項１〜１５のいずれかに記載の画像形成装置。
【請求項１７】
前記印刷手段は、前記第１マーク及び前記第２マークを不可視トナーで印刷する
請求項１〜１６のいずれかに記載の画像形成装置。
【請求項１８】
画像、第１マーク及び第２マークが印刷形成された検査対象物に対し、前記第２マークに示す方向から光を照射し、前記第１マークが示す読取領域を読み取って表面情報を取得する照合用読取手段と、
前記照合用読取手段で得られた前記表面情報を、予め登録された基準表面情報と照合して照合結果を出力する照合手段と、
を備える検査対象物照合装置。
【請求項１９】
画像、第１マーク及び第２マークを検査対象物に印刷する印刷装置と、
前記第２マークに示す方向から光を照射し、前記第１マークが示す読取領域を読み取って基準表面情報を取得する基準読取装置と、
前記基準表面情報を前記画像の識別情報と関連付けて記憶する記憶装置と、
任意タイミングにおいて前記第２マークに示す方向から光を照射し、前記第１マークが示す読取領域を読み取って照合用表面情報を取得する照合用読取装置と、
前記照合用読取手段で得られた前記照合用表面情報を、前記記憶装置に記憶された基準表面情報と照合して前記識別情報を出力する照合装置と、
を備える検査対象物照合システム。
【請求項２０】
検査対象物の表面情報を取得するための読取領域を示す第１マークを読取領域とし、前記表面情報を取得するための光の照射方向を示す第２マークを光の照射方向として光を照射することで前記表面情報を取得する表面情報取得ステップと、
取得した前記表面情報と予め登録された基準表面情報とを照合して照合結果を出力する照合ステップと、
を備える検査対象物照合方法。
【請求項２１】
前記検査対象物は、複数種類の画像を含み、
前記照合ステップでは、取得した前記表面情報と前記基準表面情報を照合することで前記複数種類の画像の識別情報を出力する
請求項２０に記載の検査対象物照合方法。
【発明の詳細な説明】
【技術分野】
【０００１】
本発明は、画像形成装置、検査対象物照合装置、検査対象物照合システム、及び検査対象物照合方法に関する。
【背景技術】
【０００２】
特許文献１には、対象物の画像の照合において、対象物の固定方向にかかわらずに照合可能とするようにした画像処理装置が記載されている。画像処理装置の回転手段は、対象物を固定する固定手段と、固定手段によって固定されている対象物に対して照明を施す照明手段と、固定手段によって固定されている対象物の画像を読み取る画像読取手段のうちいずれか１つ以上を回転させ、照合値算出手段は、画像読取手段によって読み取られた画像、すなわち紙繊維が不定形に絡み合って形成されるランダムパターンの画像と既に読み取った対象物の画像を記憶している画像記憶手段内の画像とを照合するための照合値を算出し、制御手段は、照合値算出手段によって算出された照合値に基づいて、回転手段による回転を制御する。
【先行技術文献】
【特許文献】
【０００３】
【特許文献１】特開２０１３−１４０５０３号公報
【発明の概要】
【発明が解決しようとする課題】
【０００４】
ところで、検査対象印刷物を構成する紙繊維が不定形に絡み合って形成されるランダムパターンの画像等の表面情報を取得し、これを予め登録された画像等の表面情報と照合することで検査対象物を識別する場合、検査対象物の表面情報の読取領域と光の照射方向が登録時と照合時とで互いに異なると、両者の正確な照合が困難となる。表面情報、特に表面の凹凸が形成する陰影情報は、読取領域と光の照射方向により変化し得るからである。
【０００５】
本発明は、検査対象物の表面情報を取得し、これを予め登録された表面情報と照合する場合に、検査対象物の表面情報を取得する際の読取領域と光の照射方向を決定できる技術を提供することを目的とする。
【課題を解決するための手段】
【０００６】
請求項１に記載の発明は、検査対象物の表面情報を取得するための読取領域を示す第１マーク、及び前記表面情報を取得するための光の照射方向を示す第２マークを前記検査対象物に印刷する印刷手段を備える画像形成装置である。
【０００７】
請求項２に記載の発明は、前記第１マークと前記第２マークの少なくともいずれかは、さらに前記表面情報を取得するための読取方向を示す請求項１に記載の画像形成装置である。
【０００８】
請求項３に記載の発明は、前記第１マークは、前記読取領域を示す閉領域を備える請求項１に記載の画像形成装置である。
【０００９】
請求項４に記載の発明は、前記閉領域の中心領域が前記読取領域を示す請求項３に記載の画像形成装置である。
【００１０】
請求項５に記載の発明は、前記閉領域は、単色または混合色のベタ塗りで構成される請求項３に記載の画像形成装置である。
【００１１】
請求項６に記載の発明は、前記第２マークは、前記第１マークの一部に形成される請求項１に記載の画像形成装置である。
【００１２】
請求項７に記載の発明は、前記第２マークは、前記第１マークの一部から凸形成される請求項６に記載の画像形成装置である。
【００１３】
請求項８に記載の発明は、前記第２マークは、前記第１マークの一部から凹形成される請求項６に記載の画像形成装置である。
【００１４】
請求項９に記載の発明は、前記第２マークは、前記第１マークから離間して形成される請求項１に記載の画像形成装置である。
【００１５】
請求項１０に記載の発明は、前記第２マークは、前記第１マークと形状、色、大きさの少なくともいずれかが異なる請求項９に記載の画像形成装置である。
【００１６】
請求項１１に記載の発明は、前記第１マークに対する前記第２マークの相対的位置により前記光の照射方向を示す請求項６，９のいずれかに記載の画像形成装置である。
【００１７】
請求項１２に記載の発明は、前記検査対象物は、複数種類の画像を含み、前記表面情報は、前記複数種類の画像を識別する識別情報である請求項１に記載の画像形成装置である。
【００１８】
請求項１３に記載の発明は、前記印刷手段は、前記複数種類の画像を印刷する際に、前記第１マーク及び前記第２マークを印刷する請求項１２に記載の画像形成装置である。
【００１９】
請求項１４に記載の発明は、前記検査対象物は、１つの用紙に複数の画像が面付けされて構成され、前記印刷手段は、前記複数の画像のそれぞれに前記第１マーク及び前記第２マークを印刷する請求項１３に記載の画像形成装置である。
【００２０】
請求項１５に記載の発明は、前記第１マーク及び前記第２マークを用いて前記表面情報を取得する基準読取装置をさらに備え、前記印刷手段は、前記基準読取装置と前記面付けされた複数の画像のそれぞれとの相対的位置関係で前記第２マークを印刷する請求項１４に記載の画像形成装置である。
【００２１】
請求項１６に記載の発明は、前記表面情報は、前記第１マークが示す前記読取領域における表面凹凸の陰影画像である請求項１〜１５のいずれかに記載の画像形成装置である。
【００２２】
請求項１７に記載の発明は、前記印刷手段は、前記第１マーク及び前記第２マークを不可視トナーで印刷する請求項１〜１６のいずれかに記載の画像形成装置である。
【００２３】
請求項１８に記載の発明は、画像、第１マーク及び第２マークが印刷形成された検査対象物に対し、前記第２マークに示す方向から光を照射し、前記第１マークが示す読取領域を読み取って表面情報を取得する照合用読取手段と、前記照合用読取手段で得られた前記表面情報を、予め登録された基準表面情報と照合して照合結果を出力する照合手段とを備える検査対象物照合装置である。
【００２４】
請求項１９に記載の発明は、画像、第１マーク及び第２マークを検査対象物に印刷する印刷装置と、前記第２マークに示す方向から光を照射し、前記第１マークが示す読取領域を読み取って基準表面情報を取得する基準読取装置と、前記基準表面情報を前記画像の識別情報と関連付けて記憶する記憶装置と、任意タイミングにおいて前記第２マークに示す方向から光を照射し、前記第１マークが示す読取領域を読み取って照合用表面情報を取得する照合用読取装置と、前記照合用読取手段で得られた前記照合用表面情報を、前記記憶装置に記憶された基準表面情報と照合して前記識別情報を出力する照合装置とを備える検査対象物照合システムである。
【００２５】
請求項２０に記載の発明は、検査対象物の表面情報を取得するための読取領域を示す第１マークを読取領域とし、前記表面情報を取得するための光の照射方向を示す第２マークを光の照射方向として光を照射することで前記表面情報を取得する表面情報取得ステップと、取得した前記表面情報と予め登録された基準表面情報とを照合して照合結果を出力する照合ステップとを備える検査対象物照合方法である。
【００２６】
請求項２１に記載の発明は、前記検査対象物は、複数種類の画像を含み、前記照合ステップでは、取得した前記表面情報と前記基準表面情報を照合することで前記複数種類の画像の識別情報を出力する請求項２０に記載の検査対象物照合方法である。
【発明の効果】
【００２７】
請求項１，１８，１９，２０に記載の発明によれば、検査対象物の表面情報を取得し、これを予め登録された表面情報と照合する場合に、検査対象物の表面情報を取得する際の読取領域と光の照射方向を決定できる。
【００２８】
請求項２に記載の発明によれば、さらに、表面情報を取得するための読取方向を決定できる。
【００２９】
請求項３，４に記載の発明によれば、さらに、閉領域により読取領域を明確に決定できる。
【００３０】
請求項５に記載の発明によれば、さらに、スクリーンやドットに比べ、コントラスト差が明瞭な表面情報が得られる。
【００３１】
請求項６，７，８に記載の発明によれば、さらに、第１マークと第２マークが一体的に印刷形成される。
【００３２】
請求項９，１０に記載の発明によれば、さらに、第１マークと第２マークが区別され得る。
【００３３】
請求項１１に記載の発明によれば、さらに、第２マークの相対的位置で光の照射方向が決定できる。
【００３４】
請求項１２，２１に記載の発明によれば、さらに、複数種類の画像を識別できる。
【００３５】
請求項１３に記載の発明によれば、さらに、複数種類の画像を印刷する際に、第１マーク及び第２マークを効率的に印刷できる。
【００３６】
請求項１４，１５に記載の発明によれば、さらに、複数の画像のそれぞれで読取領域及び光の照射方向を決定できる。
【００３７】
請求項１６に記載の発明によれば、さらに、読取領域における表面凹凸の陰影画像を用いて照合できる。
【００３８】
請求項１７に記載の発明によれば、さらに、第１マーク及び第２マークを不可視とすることができる。
【図面の簡単な説明】
【００３９】
【図１】実施形態の機能ブロック図である。
【図２】実施形態の構成ブロック図である。
【図３Ａ】実施形態の指示書と見本の模式図である。
【図３Ｂ】実施形態の印刷物の模式図である。
【図４】実施形態の画像の拡大説明図である。
【図５】実施形態の基準画像の登録説明図である。
【図６】実施形態の第１マーク及び第２マークの説明図である。
【図７】実施形態の第１マーク及び第２マークの機能説明図である。
【図８】実施形態の第１マーク及び第２マークの他の機能説明図である
【図９】実施形態の他の第１マーク及び第２マークの説明図である。
【図１０】実施形態のさらに他の第１マーク及び第２マークの説明図である。
【図１１】実施形態のさらに他の第１マーク及び第２マークの説明図である。
【図１２】実施形態の面付け印刷における第１マーク及び固定第２マークの説明図である。
【図１３】実施形態の面付け印刷における第１マーク及び可変第２マークの説明図である。
【図１４】実施形態の処理説明図である。
【図１５】実施形態の処理フローチャート（その１）である。
【図１６】実施形態の処理フローチャート（その２）である。
【図１７】実施形態の画像形成装置の機能ブロック図である。
【図１８】変形例の第１マーク及び第２マークの説明図である。
【図１９】他の変形例の第１マーク及び第２マークの説明図である。
【図２０Ａ】さらに他の変形例の第１マーク及び第２マークの説明図（その１）である。
【図２０Ｂ】さらに他の変形例の第１マーク及び第２マークの説明図（その２）である。
【図２０Ｃ】さらに他の変形例の第１マーク及び第２マークの説明図（その３）である。
【発明を実施するための形態】
【００４０】
以下、図面に基づき本発明の実施形態について説明する。
【００４１】
図１は、本実施形態における検査対象物照合装置の基本構成図を示す。検査対象物照合装置は、画像入力部１０、照合部１２、及び記憶部１４を備える。
【００４２】
画像入力部１０は、検査対象物の表面情報として画像情報を入力する。画像情報は、例えば検査対象物の表面をカメラで撮影して得られる。カメラは、所定位置に設置された固定式カメラでもよく、あるいは検査者が把持するスマートフォン等のカメラ付き携帯端末であってもよい。画像入力部１０は、検査対象物の画像情報を入力し、入力した画像情報を照合部１２に出力する。
【００４３】
照合部１２は、入力された照合用画像と、記憶部１４に予め記憶された基準表面情報としての基準画像を照合する。基準画像は、検査対象物に対して予め取得された基準となる画像であり、検査対象物に対して基準読取装置で読み取られた画像情報が記憶部１４に記憶されたものである。検査対象物の画像には、予め画像の種類毎に識別情報（ＩＤ）が付与されており、基準読取装置で読み取られた画像情報とＩＤは関連付けられる。基準画像とＩＤとの関連付けは、ＩＤと基準画像の対応テーブル１６として記憶部１４に記憶される。
【００４４】
より具体的には、複数種類の画像を検査対象物に印刷する場合に、画像の種類毎にＩＤが予め割り当てられる。例えば、ある種類の画像についてはＩＤ＝「００１」、別の種類の画像についてはＩＤ＝「００２」、さらに別の種類の画像についてはＩＤ＝「００３」等である。特定種類の画像は１個でもよく、あるいは複数個であってもよい。画像の種類毎に検査対象物にまとめて印刷する場合においては、画像の種類毎のＩＤを検査対象物の余白部分に印刷して画像の種類毎にまとめて管理し得る。複数種類の画像が印刷装置により検査対象物に印刷された後、当該画像を基準読取装置で読み取って画像情報を取得し、この画像とＩＤを関連付けて対応テーブル１６に登録する。ＩＤが検査対象物の余白部分に存在する場合には、検査対象物の裁断前に当該余白部分のＩＤを基準読取装置あるいはその他の読取装置で読み取って取得してもよい。
【００４５】
基準読取装置は、検査対象物に画像を印刷する印刷装置に組み込まれていてもよく、印刷装置とは別個に配置されていてもよい。基準読取装置は、カメラやスキャナ等で構成され得る。また、印刷装置がインライン画像センサ（ＩＬＳ）を備える場合、当該インライン画像センサを基準読取装置に援用し得る。印刷装置内に組み込まれたインライン画像センサは、例えば定着装置・冷却装置と排出装置との間に配置され、印刷後の画像の画像情報を読み取って、階調再現特性、面内の色ムラ、表裏アライメント等を制御する。
【００４６】
インライン画像センサからの画像情報を入力して処理する画像処理ユニットが印刷装置内に組み込まれている場合、ＩＤと基準画像との関連付けは、画像処理ユニットで実行してもよく、管理者等が管理装置を操作して手動で行ってもよい。作成された対応テーブル１６は、画像処理ユニットあるいは管理装置から記憶部１４に供給されて記憶される。
【００４７】
照合部１２は、入力された照合用画像と、記憶部１４に記憶された基準画像とを照合する。ここで、照合とは、照合用画像と基準画像とが一致するか否かを判定する処理をいう。また、一致には、完全な一致の他、一定の許容範囲内での一致も含まれる。照合部１２は、照合用画像と基準画像が一致する場合には、当該基準画像に対応するＩＤを対応テーブル１６に基づき出力する。また、照合用画像と基準画像が一致しない場合には、対応するＩＤが存在しないので出力しない。なお、照合部１２は、一致しない場合には一致しない旨を出力してもよい。
【００４８】
記憶部１４は、検査対象物照合装置内に組み込まれていてもよく、通信ネットワークを介して検査対象物照合装置と接続されていてもよい。後者の場合、通信ネットワークを介して接続された１又は複数のサーバコンピュータが記憶部１４として機能し得る。
【００４９】
図２は、記憶部１４をサーバコンピュータで構成した場合の本実施形態のシステム構成を示す。システムは、検査対象物照合装置２０とサーバコンピュータ３６を備え、検査対象物照合装置２０とサーバコンピュータ３６は、通信ネットワーク３８でデータ送受信可能に接続される。
【００５０】
検査対象物照合装置２０は、入出力インターフェイス（Ｉ／Ｆ）２２、ＲＯＭ２４、ＲＡＭ２６、１又は複数のプロセッサ２８、通信Ｉ／Ｆ３０、及び記憶装置３２を備える。
【００５１】
入出力Ｉ／Ｆ２２は、キーボードやマウス等の入力装置やディスプレイ等の出力装置に接続される他、照合用カメラ３４で撮影されて取得された検査対象物の画像情報を入力する。照合用カメラ３４は、例えば検査者が把持するスマートフォン等である。画像情報は、有線あるいは無線で入出力Ｉ／Ｆ２２に供給される。
【００５２】
通信Ｉ／Ｆ３０は、通信ネットワーク３８を介してサーバコンピュータ３６に接続される。
【００５３】
記憶装置３２は、ＳＤＤ（ソリッドステートドライブ）やＨＤＤ（ハードディスクドライブ）等で構成され、通信Ｉ／Ｆ３０を介してサーバコンピュータ３６から取得したＩＤと基準画像の対応テーブル１６を格納する。
【００５４】
１又は複数のプロセッサ２８は、ＲＯＭ２４あるいは記憶装置３２に記憶された処理プログラムを読み出して実行することで照合処理を実行する。すなわち、プロセッサ２８は、図１における照合部１２として機能する。プロセッサ２８は、処理プログラムを実行することで、入出力Ｉ／Ｆ２２から入力した照合用画像と、対応テーブル１６内の複数の基準画像とを照合し、照合用画像に一致する基準画像を特定する。照合用画像に一致する基準画像が特定されると、プロセッサ２８は、当該基準画像に対応するＩＤを対応テーブル１６から特定し、ディスプレイ等の出力装置に特定したＩＤを出力する。
【００５５】
プロセッサ２８は、入力した照合用画像を通信ネットワーク３８を介してサーバコンピュータ３６に送信し、サーバコンピュータ３６で受信した照合用画像と基準画像を照合し、照合結果を通信ネットワーク３８を介してプロセッサ２８に送信し、プロセッサ２８で照合結果を受信して出力装置に出力してもよい。この場合、サーバコンピュータ３６が照合部１２として機能する。
【００５６】
図１における画像入力部１０、照合部１２、及び記憶部１４は、単一の装置内で実現される必要はなく、通信ネットワークで接続された複数の装置から構成されるシステムに分散されていてもよい。すなわち、システムは、画像入力部１０として機能する画像読取装置、記憶部１４として機能する記憶装置、照合部１２として機能する照合装置から構成され得る。例えば、スマートフォンで検査対象物の画像を撮影して得られた画像情報を通信ネットワーク３８を介してサーバコンピュータ３６に送信し、サーバコンピュータ３６で照合し、照合結果を通信ネットワーク３８を介してスマートフォンに送信してスマートフォンの画面に出力してもよい。この場合、スマートフォンは画像読取装置として機能し、サーバコンピュータ３６は記憶装置、及び照合装置として機能する。また、スマートフォンで検査対象物の画像を撮影して得られた画像情報をＰＣ（パーソナルコンピュータ）に送信し、ＰＣから通信ネットワーク３８を介してサーバコンピュータ３６に送信し、サーバコンピュータ３６で照合し、照合結果を通信ネットワーク３８を介してＰＣに送信してＰＣの画面に出力してもよい。
【００５７】
次に、画像の種類毎に割り当てられるＩＤについて説明する。
【００５８】
図３Ａは、画像形成装置としての印刷装置で画像を検査対象物に印刷するに際し、予め与えられる指示書４０と見本４２の一例を示す。
【００５９】
指示書４０には、印刷すべき画像の種類やその詳細、画像の種類毎のＩＤが記載されている。また、見本４２には、印刷されるべき画像の完成見本が記載されている。指示書４０や見本４２は、例えばインターネット経由で供給され得る（Ｗｅｂ入稿）。
【００６０】
図３Ｂは、指示書４０及び見本４２に基づき印刷装置で印刷された印刷物の一例を示す。面付け印刷の場合であり、複数の画像がまとめて検査対象物、この例では印刷用紙に印刷される。図では、６枚の画像がまとめて印刷されており、印刷用紙の余白部分にはその画像の種類に対応したＩＤ（ＩＤ＝「００１２３」）が印刷される。印刷される画像が同一種類であれば同一のＩＤが余白部分に印刷され、印刷される画像が異なる種類であれば異なるＩＤが余白部分に印刷される。
【００６１】
なお、画像が同一種類とは、画像の全部分が同一であることを意味し、画像が異なる種類とは、画像のいずれかの部分が互いに異なることを意味する。例えば、画像に文字と人物の顔写真が含まれ、文字部分は同一でも人物の顔写真が異なる場合には異なる種類である。データに基づいて印刷する内容を変えて印刷を行うバリアブル印刷は、複数種類の画像を印刷する場合に含まれる。
【００６２】
図４は、複数種類の画像の一例を模式的に示す。画像は、文字４４及び人物（子供）の顔写真４６を含む。図４（ａ）の画像と図４（ｂ）の画像において、文字４４は同一であるが、顔写真４６は互いに異なる。従って、図４（ａ）の画像と図４（ｂ）の画像は互いに異なる種類の画像であり、互いに異なるＩＤが割り当てられる。図４（ａ）の画像には、例えばＩＤ＝「００１２３」が割り当てられ、図４（ｂ）の画像には、例えばＩＤ＝「００１２４」が割り当てられる。
【００６３】
図５は、検査対象物の画像から基準画像を生成する処理を模式的に示す。印刷用紙に面付け印刷された画像を、印刷装置に組み込まれたインライン画像センサ等の基準読取装置５０で読み取り、取得した画像情報をサーバコンピュータ３６に供給する。他方で、当該画像の印刷用紙の余白部分に印刷されたＩＤを読み取り、当該画像のＩＤとしてサーバコンピュータ３６に供給する。サーバコンピュータ３６は、ＩＤと基準画像を関連付けて対応テーブル１６に登録する。
【００６４】
基準読取装置５０で画像を読み取る際に、余白部分に印刷されたＩＤも読み取り、基準画像を生成するとともに当該画像のＩＤを取得して、両者を関連付けた上でサーバコンピュータ３６に供給してもよい。
【００６５】
基準読取装置５０で取得した検査対象物の基準画像と、照合用カメラ３４で取得した検査対象物の照合用画像は、その読取領域と光の照射方向が互いに一致していなければならない。
【００６６】
すなわち、工業製品等の物体表面のわずかなエリアをスマートフォンやデジタルカメラ、スキャナなどで取り込み、その画像情報を事前にサーバに登録しておき、照合したい物体の同じ箇所を撮影して、あらかじめ登録した画像情報と照合してその物体を一意識別し真贋判定等を行う技術が公知であり、かかる技術では、画像の特徴点を抽出して照合するのではなく、製造工程で生成された意図的に再現することが難しい、物体固有のランダムパターンをもった画像全体を照合するため、登録時と照合時とで検査対象物の画像の読取領域と光の照射方向は一致している必要がある。読取領域と光の照射方向の少なくともいずれかが異なると、ランダムパターンも変化してしまい、正確な照合が不能となるからである。
【００６７】
具体的に説明すると、以下の通りである。検査対象物の特定領域に特定方向から光を照射すると、検査対象物のその領域における表面凹凸に応じた影がその照射方向の反対側に形成される。この陰影画像を検査対象物固有の基準画像として登録する。検査対象物の表面凹凸は、検査対象物の表面位置に応じて変化するから、読取領域が登録時と照合時とで異なる場合には、陰影画像が異なるため正確な照合ができない。例えば、読取領域サイズを数ｍｍ２とすると、その領域がミリ単位でずれると表面凹凸が変化し、正確な照合ができない。
【００６８】
また、同じ検査対象物に対して登録時と異なる照射方向から光を照射すると、同じ表面凹凸であってもその影の形状が変化するため、陰影画像としては異なるものとなり正確な照合ができない。例えば、登録時から１０度以上照射角度がずれると影の形状が大きく変化し、正確な照合ができない。
【００６９】
そこで、本実施形態では、印刷装置で検査対象物に画像を印刷する際に、読取領域を示す第１マーク、及び光の照射方向を示す第２マークを検査対象物に印刷形成する。登録時及び照合時には、これら第１マーク及び第２マークを基準として陰影画像を取得する。
【００７０】
図６は、読取領域を示す第１マーク６０、及び光の照射方向を示す第２マーク６２の一例を示す。第１マーク６０及び第２マーク６２は、検査対象物５５に対して予め設定された位置に印刷される。第１マーク６０及び第２マーク６２は、検査対象物５５に印刷される本来の画像部分（バリアブル画像部分）とは異なるマークであるため、検査対象物のデザイン性を毀損しないような位置、例えば目立たない隅部分等に印刷するのが望ましい。但し、第１マーク６０及び第２マーク６２は、照合時において比較的容易に認識し得る位置に印刷されていることが望ましいので、デザイン性維持と視認性維持を両立し得る位置とするのが望ましい。
【００７１】
第１マーク６０は、外形形状が矩形形状、特に正方形の閉領域として印刷される。第２マーク６２は、第１マーク６０に対して予め設定された方向で外形形状が円形の閉領域として印刷される。図では、第１マーク６０及び第２マーク６２は破線で拡大表示されているが、読取サイズを数ｍｍ２とすると、例えば第１マーク６０のサイズを２ｍｍ×２ｍｍとし、第２マーク６２のサイズを直径０．５ｍｍ〜１ｍｍ等とし得る。但し、サイズについては限定されない。
【００７２】
第１マーク６０は、単色または混合色のベタ塗りで構成される。図では黒のベタ塗りで構成されているが、黒に限定されない。通常、紙繊維構造に対し、スクリーンやドットを重畳すると、紙繊維構造で得られる陰影画像のコントラスト差よりも、下地と画像との間で形成されるコントラスト差の方が大きくなり、表面情報の読取が困難となる。従って、第１マーク６０をドットハーフスクリーン等は避け、ベタ画像で構成するのが望ましい。また、第１マーク６０内を白抜きとすると、デザイン上の制約はないものの、紙表面に対するコーティングやニス加工の影響を受け易くなるため、紙繊維構造で得られる陰影画像のコントラスト差が得られ難くなる。従って、十分な陰影画像が得られるのであれば、第１マーク６０を輪郭のみの白抜きで構成してもよい。
【００７３】
第２マーク６２は、第１マーク６０と同様に単色または混合色のベタ塗りで構成されていてもよく、あるいはスクリーンやドット、白抜き等で構成されていてもよい。第２マーク６２は、読取領域を示す第１マーク６０に対して相対的な位置を示すものであればよい。
【００７４】
図７は、第１マーク６０及び第２マーク６２の機能を示す。第１マーク６０は、外形形状が正方形であり、その輪郭で囲まれた閉領域内の少なくとも一部が読取領域を示す。例えば、正方形の中心位置（図中×印で示す）を中心とする一定半径の円領域（図中破線で示す）を読取領域とする。図では、円の直径は正方形の１辺よりも小さく示されているが、円の直径を正方形の１辺と同じ長さの内接円とし、内接円領域を読取領域としてもよい。
【００７５】
第２マーク６２は、第１マーク６０の中心を基準として相対的に一定方向に印刷される。従って、第２マーク６２から第１マーク６０の中心に向かう方向は一義的に決定され、この方向を光の照射方向とする（図における矢印方向）。
【００７６】
登録時及び照合時のいずれにおいても、第１マーク６０を用いて読取領域を設定し、第２マーク６２を用いて光の照射方向を設定することで、登録時と照合時とで読取領域及び光の照射方向が一致する。
【００７７】
すなわち、登録時には、基準読取装置５０で基準画像を取得するが、検査対象物５５に印刷された第１マーク６０及び第２マーク６２を用いて読取領域及び光の照射方向を設定して基準画像を取得する。例えば、印刷装置に組み込まれたインライン画像センサで第２マーク６２の方向から光を照射し、第１マーク６０内の領域を読み取って基準画像を取得する。照合時には、検査者が検査対象物５５に印刷された第１マーク６０及び第２マーク６２を視認し、第２マーク６２の方向から光を照射し、第１マーク６０内の領域を読み取って画像を取得する。画像の撮影方向については、例えば登録時及び照合時ともに検査対象物５５の表面に対して略垂直方向とすればよい（図６では紙面に対して略垂直方向）。
【００７８】
なお、光の照射方向としては、方位角に加えて仰角があるが、第２マーク６２はこのうち方位角を示すものといえる。仰角については、例えば４５度程度とし得る。仰角が多少ずれても、表面凹凸の影は相似的に変化するので照合は可能である。
【００７９】
図７では、読取領域を第１マーク６０内の一定半径の円領域としているが、他の形状であってもよい。
【００８０】
図８は、読取領域を第１マーク６０内の矩形領域とする場合を示す。第１マーク６０の外形形状は正方形であるが、読取領域も同様に正方形として設定される。第１マーク６０のサイズを２ｍｍ×２ｍｍとすると、読取領域は例えば１．５ｍｍ×１．５ｍｍとし得る。第１マーク６０の全領域、すなわち２ｍｍ×２ｍｍを読取領域としてもよい。
【００８１】
図９は、第１マーク６０及び第２マーク６２の外形形状を円形とする場合を示す。読取領域は第１マーク６０の中心から一定半径の円領域として設定される。
【００８２】
図７〜図９では、第１マーク６０と第２マーク６２を互いに離間して印刷形成しているが、第１マーク６０と第２マーク６２を一体的に形成してもよく、第１マーク６０の一部に第２マーク６２を印刷形成してもよい。
【００８３】
図１０は、第１マーク６０の一部に第２マーク６２を印刷形成する一例を示す。第１マーク６０の外形形状を円形とし、第１マーク６０の一部に凹部あるいは切り欠きを設け、この凹部あるいは切り欠きを第２マーク６２とする。第２マーク６２としての凹部あるいは切り欠きは、第１マーク６０の中心に対して一定の方向に形成され、これにより光の照射方向が設定される。
【００８４】
図１１は、第１マーク６０の一部に第２マーク６２を印刷形成する他の例を示す。第１マーク６０の外形形状を円形とし、第１マーク６０の一部に凸部あるいは付加部を設け、この凸部あるいは付加部を第２マーク６２とする。第２マーク６２としての凸部あるいは付加部は、第１マーク６０の中心に対して一定の方向に形成され、これにより光の照射方向が設定される。
【００８５】
以上のように、第２マーク６２は、第１マーク６０に対する方向が一義的に決定されるのであればその形状や位置は任意に設定され得るが、検査対象物が複数面付け印刷される場合には、面付けの制約上、常に同じ状態で第１マーク６０の読取ができるとは限らない。
【００８６】
図１２は、検査対象物５５に印刷形成された第１マーク６０及び第２マーク６２に従って、インライン画像センサ等の基準読取装置５０で画像を読み取る場合の構成を示す。
【００８７】
検査対象物５５として２つの検査対象物５５ａ，５５ｂが面付け印刷されており、面付けの制約上、検査対象物５５ａ，５５ｂは向かい合わせ、すなわち１８０度回転対称に印刷されている。
【００８８】
検査対象物５５の右下隅部に第１マーク６０及び第２マーク６２を印刷形成し、第１マーク６０を正方形及びベタ塗りとし、第２マーク６２を円形及びベタ塗りとして第１マーク６０に対して固定的に一定方向に印刷形成するものとする。
【００８９】
このとき、検査対象物５５ａについては、第１マーク６０ａ及び第２マーク６２ａが印刷形成され、第２マーク６２ａは第１マーク６０ａに対して相対的に下方向に印刷形成される。
【００９０】
他方で、検査対象物５５ｂについては、第１マーク６０ｂ及び第２マーク６２ｂが印刷形成され、第２マーク６２ｂは第１マーク６０ｂに対して相対的に上方向に印刷形成される。すなわち、第１マーク６０ａ及び第２マーク６２ａと、第１マーク６０ａ及び第２マーク６２ｂも向かい合わせ、すなわち１８０度回転対称に印刷される。
【００９１】
インライン画像センサ等の基準読取装置５０は印刷装置に組み込まれており、この基準読取装置５０で検査対象物５５ａを読み取る際には、第２マーク６２ａで示される方向から光を照射して第１マーク６０ａを読み取ることとなる。照合時には、第２マーク６２ａの方向から光を照射して第１マーク６０ａを読み取るから、登録時と照合時とで光の照射方向が一致する。
【００９２】
しかし、基準読取装置５０で検査対象物５５ｂを読み取る際には、第２マーク６２ｂで示される方向とは１８０度異なる方向から光を照射して第１マーク６０ｂを読み取ることになる。照合時には、第２マーク６２ｂの方向から光を照射して第１マーク６０ｂを読み取るから、登録時と照合時とで光の照射方向が異なることになり、照合が不能となる。
【００９３】
従って、検査対象物５５を面付け印刷する場合において第１マーク６０及び第２マーク６２を印刷形成するときには、面付けの制約を考慮し、個々の検査対象物５５毎に基準読取装置５０の位置に応じて第１マーク６０に対する第２マーク６２の形成位置を変化させる、すなわち第２マーク６２をバリアブル印刷する。
【００９４】
図１３は、面付けの制約を考慮し、個々の検査対象物５５毎に第２マーク６２をバリアブル印刷する場合を示す。図１２と同様に検査対象物５５ａ，５５ｂは向かい合わせ、すなわち１８０度回転対称に印刷形成される。また、第１マーク６０及び第２マーク６２は、検査対象物５５の右下隅部に印刷形成される。
【００９５】
このとき、検査対象物５５ａについては、第１マーク６０ａ及び第２マーク６２ａが印刷形成され、第２マーク６２ａは第１マーク６０ａに対して相対的に下方向に印刷形成される。
【００９６】
他方で、検査対象物５５ｂについては、第１マーク６０ｂ及び第２マーク６２ｂが印刷形成され、第２マーク６２ｂは第１マーク６０ｂに対して相対的に下方向にバリアブル印刷形成される。
【００９７】
基準読取装置５０で検査対象物５５ａを読み取る際には、第２マーク６２ａで示される方向から光を照射して第１マーク６０ａを読み取ることとなる。照合時には、第２マーク６２ａの方向から光を照射して第１マーク６０ａを読み取るから、登録時と照合時とで光の照射方向が一致する。
【００９８】
また、基準読取装置５０で検査対象物５５ｂを読み取る際には、第２マーク６２ｂで示される方向から光を照射して第１マーク６０ｂを読み取ることになる。そして、照合時にも、第２マーク６２ｂの方向から光を照射して第１マーク６０ｂを読み取るから、登録時と照合時とで光の照射方向が一致し、照合が可能となる。
【００９９】
以上のように、第２マーク６２については面付け印刷時の印刷方向と基準読取装置５０との位置関係に応じてバリアブル印刷形成することで基準画像を取得し、記憶部１４の対応テーブル１６に登録する。
【０１００】
次に、照合時の処理について説明する。
【０１０１】
図１４は、照合時の処理を模式的に示す。面付け印刷された検査対象物５５を裁断し、裁断後の任意タイミング、例えば検査対象物５５を顧客に納品する際において、検査対象物５５を照合用カメラ３４で撮影する。このとき、第２マーク６２で示される方向から光を照射し、第１マーク６０で示される読取領域を読み取って画像７０を取得する。画像７０は、検査対象物５５の微小な表面凹凸により生成される陰影画像である。
【０１０２】
照合用カメラ３４で得られた画像７０は、予め記憶部１４の対応テーブル１６に登録された基準画像と照合される。対応テーブル１６には、図１４に示すようにＩＤと種類毎の基準画像が対応付けて記憶されている。例えば、
ＩＤ＝「００１２３」：基準画像１
ＩＤ＝「００１２４」：基準画像２
ＩＤ＝「００１２５」：基準画像３
・・・
等である。照合の結果、画像７０と基準画像２が一致すれば、照合結果として基準画像２に対応するＩＤ＝「００１２４」が照合結果、すなわち検査対象物の画像の種類として出力される。
【０１０３】
図１５及び図１６は、実施形態の処理フローチャートを示す。図１５は基準画像の登録処理であり、図１６は照合用画像と基準画像の照合処理である。なお、図１５及び図１６では、第１マーク６０を検査対象物の画像（図４を参照）に対するそのサイズに着目して「小マーク」、第２マーク６２を第１マーク６０に付随する点に着目して「サブマーク」と称する。
【０１０４】
図１５において、画像形成装置としての印刷装置は、検査対象物に対し、照合用小マークの印刷情報を付加する（Ｓ１０１）。小マークの印刷情報は、印刷位置、印刷形状、印刷色等である。印刷位置は、例えば検査対象物の右下隅部、印刷形状は例えば正方形、印刷色はベタ黒塗り等である。
【０１０５】
次に、印刷装置は、小マークの面付け情報を取得する（Ｓ１０２）。面付け情報は、例えば図１３に示されるような一対の検査対象物が向かい合う状態等である。
【０１０６】
次に、印刷装置は、Ｓ１０１で付加された小マークの印刷情報と、Ｓ１０２で取得した面付け情報を用いて、照合用小マークと、面付け情報により設定される検査対象物の姿勢に応じたサブマークを印刷する（Ｓ１０３）。すなわち、サブマークの印刷位置をＳ１０２で取得した情報を用いて決定し、予め設定された印刷形状（円形等）及び印刷色（ベタ黒塗り等）で印刷する。これにより、例えば図１３に示されるように、検査対象物５５ａ、５５ｂの面付けに応じて小マーク（第１マーク６０）及びサブマーク（第２マーク６２）がバリアブル印刷される。
【０１０７】
検査対象物に小マーク及びサブマークが印刷された後、当該印刷装置に組み込まれたインライン画像センサ等の基準読取装置５０で小マークを読み取る（Ｓ１０４）。基準読取装置５０で読み取られた小マーク画像は、画像処理プロセッサに送信される（Ｓ１０５）。
【０１０８】
次に、画像処理プロセッサは、小マーク画像から高解像度画像を生成する（Ｓ１０６）。画像処理プロセッサは、インライン画像センサに組み込まれた画像処理ユニット内のプロセッサでもよく、あるいは画像処理ユニットとは別のコンピュータ内のプロセッサでもよい。高解像度画像の生成処理は、具体的には、解像度変換処理やノイズ除去処理、小マーク画像から読取領域を切り出す処理であり、図７や図８に示される第１マーク６０の領域内に設定された破線の読取領域を切り出す処理である。
【０１０９】
生成された高解像度画像はサーバコンピュータ３６に送信される（Ｓ１０７）。サーバコンピュータ３６は、高解像度画像を基準画像としてＩＤと関連付けて対応テーブル１６に登録する（Ｓ１０８）。
【０１１０】
図１６において、検査対象物に印刷されている照合用小マーク及びサブマークを確認する（Ｓ２０１）。
【０１１１】
次に、サブマークで示される方向から光を照射し（Ｓ２０２）、小マークを照合用カメラ３４で読み取る（Ｓ２０３）。照合用カメラ３４と光源が近接配置されている場合には、サブマークで示される方向から光を照射することは、同時にサブマークで示される方向から小マークを読み取ることを意味する。すなわち、サブマークは、光の照射方向と読取方向（撮影方向）を同時に示すことになる。勿論、これに限定されるものではなく、照合用カメラの位置を小マークの真上に設定する等でもよい。
【０１１２】
次に、照合用小マーク画像から照合用高解像度画像を生成し（Ｓ２０４）、サーバコンピュータ３６に送信する（Ｓ２０５）。照合用高解像度画像の生成処理には、基準画像と同程度の解像度変換、ノイズ除去処理及び基準画像と同程度のサイズ切り出し処理が含まれる。
【０１１３】
サーバコンピュータ３６では、対応テーブル１６に登録されている基準画像と、Ｓ２０５で送信された照合用高解像度画像とを比較し（Ｓ２０６）、合致する画像及び関連情報を返信する（Ｓ２０７）。合致する画像は、照合用高解像度画像に一致する基準画像であり、関連情報は当該基準画像に対応するＩＤである。
【０１１４】
Ｓ２０６での比較処理は、例えば、照合値として相関値の最大値を算出することにより実行される。この算出処理は、照合用高解像度画像と基準画像との相関値を正規化相関法により演算することを、照合用高解像度画像の位置をＸ方向及びＹ方向に１ドット（画素）ずつずらしながら繰り返す。
【数１】
2020043490.tif 000003
【０１１５】
ここで、Ｆは基準画像、ｆｉは基準画像の個々の画素の明度値、Ｎは基準画像及び照合用高解像度画像の総画素数、Ｇは照合用高解像度画像、ｇｉは照合用高解像度画像の個々の画素の明度値、ｆＡＶＥは基準画像の個々の画素の明度値の平均値、ｇＡＶＥは照合用高解像度画像の個々の画素の明度値の平均値である。照合用高解像度画像に対して（１）式の演算を行うことで、基準画像のドット数をｍ×ｎ、照合用高解像度画像のドット数をＭ×Ｎとすると、単一の照合画像当たり（Ｍ―ｍ＋１）×（Ｎ−ｎ＋１）個の相関値が得られる。この相関値のうちの最大値が相関値の最大値である。
【０１１６】
そして、算出された相関値の最大値と予め設定された閾値とを大小比較し、算出された相関値の最大値が予め設定された閾値以上であれば基準画像と照合用高解像度画像は一致すると判定する。
【０１１７】
図１６の処理では、サーバコンピュータ３６で照合処理を実行しているが、図２に示されるように、検査対象物照合装置２０においてサーバコンピュータ３６から対応テーブル１６を取得して照合処理を実行してもよい。
【０１１８】
図１７は、検査対象物に画像を印刷するとともに、第１マーク（小マーク）６０及び第２マーク（サブマーク）６２を印刷する画像形成装置の構成ブロック図を示す。
【０１１９】
画像形成装置は、印刷ジョブにしたがって印刷出力を行うデジタル印刷機であって、印刷データ受付モジュール８０、印刷モジュール８２、読取モジュール８４を備える。
【０１２０】
印刷データ受付モジュール８０は、印刷ジョブとともに印刷する画像データを受け付け、その画像データを印刷モジュール８２が印刷可能な画像データに変換し、変換後の画像データを印刷モジュール８２に出力する。受け付ける画像データとしては、例えば、ＰｏｓｔＳｃｒｉｐｔで記述されたデータやＰＤＦフォーマットのデータ等がある。印刷データ受付モジュール８０が行う処理として、例えば、受け付けた画像データのＰｏｓｔＳｃｒｉｐｔ、ＰＤＦ等を解釈し、ラスタライズ処理を行ってビットマップデータ（印刷ジョブに係る画像データの一例）を生成する。印刷対象である画像データは、面付けとしてまとめられ得る。また、印刷データには、第１マーク（小マーク）６０及び第２マーク（サブマーク）６２のデータが含まれる。
【０１２１】
印刷モジュール８２は、印刷手段として機能し、印刷データ受付モジュール８０から画像データを受け付け、その画像データの印刷物を出力する。具体的には、受け付けたビットマップイメージを、搬送する用紙上にトナーで像を形成して印刷する。印刷モジュール８２により、検査対象物の画像が印刷形成されるとともに、第１マーク（小マーク）６０及び第２マーク（サブマーク）６２が印刷形成される。印刷モジュール８２は、カット紙を使用するタイプ（枚葉機）であってもよいし、ロール紙を使用するタイプ（連帳機）であってもよい。
【０１２２】
読取モジュール８４は、印刷モジュール８２に接続されており、印刷モジュール８２が出力した印刷物を読み取る。読取モジュール８４は、読み取った画像データを図示しない印刷リカバリ処理モジュールに出力する。また、読取モジュール８４は、第１マーク６０を読み取り、図１５におけるＳ１０６、Ｓ１０７の処理を実行してサーバコンピュータ３６に送信する。読取モジュール８４は、具体的には、印刷モジュール８２に内蔵されているインライン画像センサで構成され得る。なお、印刷リカバリ処理モジュールは、印刷不良を検出してリカバリのための処理を決定するモジュールである。
【０１２３】
画像形成装置で印刷された第１マーク６０は、任意のタイミングにおいて図１４に示されるように第２マーク６２で示される方向から光を照射しつつ照合用カメラ３４で読み取られ、画像７０が生成される。
【０１２４】
以上、本発明の実施形態について説明したが、本発明はこれに限定されるものではなく、種々の変形が可能である。以下、変形例について説明する。
【０１２５】
＜変形例１＞
実施形態では、第１マーク６０が読取領域を示し、第２マーク６２が光の照射方向を示すものとしているが、第１マーク６０と第２マーク６２の少なくともいずれかが、さらに基準読取装置５０及び照合用カメラ３４における読取方向（撮影方向）を示すものであってもよい。
【０１２６】
例えば、既述したように、光源と基準読取装置５０、及び光源と照合用カメラ３４が近接して配置されている場合には、光の照射方向と読取方向（撮影方向）はほぼ一致するので、光の照射方向を示す第２マーク６２は、さらに読取方向（撮影方向）も示すマークとなる。
【０１２７】
また、図１８に示すように、第１マーク６０の外形形状を正方形とし、そのうちの１辺を延在させて延在部６３とし、この延在部６３により読取方向（撮影方向）を示すように構成してもよい。この場合、第１マーク６０の輪郭あるいは外形が読取方向（撮影方向）を示すものとなる。
【０１２８】
＜変形例２＞
実施形態において、第１マーク６０をベタ黒塗りで印刷しているが、これに代えて、第１マーク６０を不可視トナーで印刷してもよい。不可視トナーで印刷形成することで、検査対象物のデザイン性を毀損することなく、読取領域を示すことができる。不可視トナーとしては、分子の極大吸収波長が８１０ｎｍ付近にあり、可視領域の吸収がほとんどない特徴を有するペリミジン系スクアリリウム色素の基本骨格にアルキル置換基を導入したトナーを用いることができるが、これに限定されない。第２マーク６２についても同様に不可視トナーで印刷し得る。照合時には、近赤外領域の光を照射して第１マーク６０及び第２マーク６２を認識し得る。
【０１２９】
＜変形例３＞
実施形態では、１つの第１マーク６０に対して１つの第２マーク６２を印刷形成しているが、これに限らず、１つの第１マーク６０に対して複数の第２マーク６２を印刷形成してもよい。
【０１３０】
図１９は、この場合の第１マーク６０及び第２マーク６２の一例を示す。第２マーク６２は、第１マーク６０の一部に形成されているが、第１マーク６０の異なる位置に２個、すなわち第２マーク６２ｃと第２マーク６２ｄが形成される。第２マーク６２ｃは、第１マーク６０の一部に凹形成されており、光の照射方向を示す。他方で、第２マーク６２ｄは、第１マーク６０の他の部分に凸形成されており、照合用カメラ３４で読み取る際の読取方向を示す。第２マーク６２ｃ，６２ｄの形成位置は、基準読取装置５０における光源及び読取部と検査対象物との相対的位置関係に応じて適応的に決定される。
【０１３１】
＜変形例４＞
実施形態において、第１マーク６０と第２マークの少なくともいずれかに、光の照射方向（方位角）に加え、光を照射する際の仰角を示す機能を付加してもよい。
【０１３２】
図２０Ａ〜図２０Ｃは、第２マーク６２が光照射の方位角を示すとともに、仰角を示す一例を示す。第２マーク６２は、仰角に応じて円形から楕円形に変化する。例えば、仰角をφとすると、
（１）０＜φ＜３０度
（２）３０度≦φ≦６０度
（３）６０度＜φ≦９０度
の３つの角度範囲に分ける。そして、（３）の角度範囲の場合には第２マーク６２の形状を円形とし、（２）の角度範囲の場合には第２マーク６２を楕円形とし、（１）の角度範囲の場合には第２マーク６２をさらに扁平率の大きな楕円形とする。第２マーク６２の扁平率をｆとすると、ｆは仰角φに応じて変化するといえる。
【符号の説明】
【０１３３】
１０  画像入力部、１２  照合部、１４  記憶部、１６  対応テーブル、２０  検査対象物照合装置、３４  照合用カメラ、３６  サーバコンピュータ、３８  通信ネットワーク、５０  基準読取装置、５５  検査対象物、６０  第１マーク、６２  第２マーク。
【図１】
2020043490.tif 000004
【図２】
2020043490.tif 000005
【図３Ａ】
2020043490.tif 000006
【図３Ｂ】
2020043490.tif 000007
【図４】
2020043490.tif 000008
【図５】
2020043490.tif 000009
【図６】
2020043490.tif 000010
【図７】
2020043490.tif 000011
【図８】
2020043490.tif 000012
【図９】
2020043490.tif 000013
【図１０】
2020043490.tif 000014
【図１１】
2020043490.tif 000015
【図１２】
2020043490.tif 000016
【図１３】
2020043490.tif 000017
【図１４】
2020043490.tif 000018
【図１５】
2020043490.tif 000019
【図１６】
2020043490.tif 000020
【図１７】
2020043490.tif 000021
【図１８】
2020043490.tif 000022
【図１９】
2020043490.tif 000023
【図２０Ａ】
2020043490.tif 000024
【図２０Ｂ】
2020043490.tif 000025
【図２０Ｃ】
2020043490.tif 000026